(57)【要約】      （修正有）【課題】  長時間座り続けた時の発汗による蒸れの不快感を解消するためのエアーマットを提供する。【解決手段】  エアーマットは、側面に空気注入孔１４が形成されており、中央に開口１１が形成されている本体を有し、本体の上面に複数の突起１５が設けられており、底面における開口１１から外縁部の方向へ放射状に複数の通気溝１２が形成されている。【選択図】図１
0003140934.tif 000002
【実用新案登録請求の範囲】
【請求項１】
側面に空気注入孔が形成されると共に、中央に開口が形成される本体を有し、該本体の上面に複数の突起が設けられ、底面における該開口から外縁部の方向へ放射状に複数の通気溝が形成されていることを特徴とするエアーマット。
【請求項２】
前記本体がドーナツ状に形成されていることを特徴とする請求項１に記載のエアーマット。
【請求項３】
前記複数の突起は、すべて同一サイズであると共に、前記開口を中心に、同心円状に配置されていることを特徴とする請求項１又は２に記載のエアーマット。
【考案の詳細な説明】
【技術分野】
【０００１】
本考案は、長時間座り続けた時の発汗による蒸れの不快感を解消するためのエアーマットに関するものである。
【背景技術】
【０００２】
従来のマットの上面には、通気性を良くするために複数の突起が設けられていることから、該エアーマットに座り、臀部と太腿が該複数の突起と接している時、該突起の間に形成された隙間によって優れた通気性が確保できる。
【考案の開示】
【考案が解決しようとする課題】
【０００３】
しかしながら、実際に使用してみると、上半身の体重により、前記突起が押し潰され、或いは臀部に食い込んでしまうことから、該突起間の隙間が狭くなってしまうので、通気性の効果があまりよくなかった。特に、エアーマットの場合は、普通のマットよりも柔らかいものであることから、通気性の効果がなくなるその問題が顕著に現れてしまう。また、上半身の体重が加わると、臀部と太腿の一部がエアーマットを押し込み沈めてしまうので、通気が容易に遮断されるという問題があった。
【０００４】
そこで、案出されたのが本考案であって、通気性に優れると共に、長時間座り続けた時の発汗による蒸れの不快感を解消できるエアーマットを提供することを目的としている。
【課題を解決するための手段】
【０００５】
本願の請求項１の考案は、側面に空気注入孔が形成されると共に、中央に開口が形成される本体を有し、該本体の上面に複数の突起が設けられ、底面における該開口から外縁部の方向へ放射状に複数の通気溝が形成されることを特徴とするエアーマットを提供するものである。
【０００６】
本願の請求項２の考案は、前記本体がドーナツ状に形成されていることを特徴とする請求項１に記載のエアーマットを提供するものである。
【０００７】
本願の請求項３の考案は、前記複数の突起が、すべて同一サイズであると共に、前記開口を中心に、同心円状に配置されていることを特徴とする請求項１又は２に記載のエアーマットを提供するものである。
【考案の効果】
【０００８】
本考案は、上記の課題を解決するものであり、使用時に、開口内の空気と外部の空気とを複数の通気溝により互いに流通させることにより、通気性を顕著に高めることから、長時間座り続けて多量の汗をかいても、該通気溝により内部と外部の空気が常に流通しているので、温度、湿度を一定に保つことができる。更に、汗による湿気も該通気溝から外部へ排出することができるので、臀部や太腿も蒸れることはない。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係るエアーマットの第１実施例の斜視図であり、図２は本考案に係るエアーマットの第１実施例の底面斜視図であり、図３は本考案に係るエアーマットの第１実施例の平面図であり、図４は本考案に係るエアーマットの第２実施例の斜視図であり、図５は本考案に係るエアーマットの第２実施例の底面斜視図であり、図６は本考案に係るエアー座布団の第２実施例の平面図である。
【００１１】
図１乃至図３に示すように、本考案に係るエアーマットの第１実施例は、側面に空気注入孔（１４）が形成されると共に、中央に開口（１１）が形成されている本体（１０）を有しており、該本体（１０）の形状は、略砲弾形を呈するものである。
【００１２】
更に、前記本体（１０）の上面に複数の突起（１５）が設けられ、該突起（１５）は丸みを帯びた円錐状に形成されてもよいが、他の形状に形成されてもよい。尚、本考案の第１実施例においては、前記複数の突起（１５）が、同一サイズであると共に、前記開口（１１）を中心に同心円状に配置される。
【００１３】
また、本考案に係るエアーマットの第１実施例は、複数の通気溝（１２）を有し、該各通気溝（１２）は、底面における開口（１１）から外縁部（１３）の方向へ放射状に形成され、使用者の着座時において、開口（１１）の内部と外部空間との空気を流通して換気を行うためのものである。
【００１４】
図４乃至図６に示すように、本考案に係るエアーマットの第２実施例は、側面に空気注入孔（図面せず）が形成されると共に、中央に開口（２１）が形成される本体（２０）を有し、該本体（２０）の上面に複数の突起（２５）が設けられ、底面における開口（２１）から外縁部（２３）の方向へ放射状に複数の通気溝（２２）が形成される構成については、前記第１実施例と同様であるが、本体（２０）の形状がドーナツ状に形成される点において異なっている。
【００１５】
また、本考案の第1実施例と第2実施例のエアーマットを使用する時には、先ず前記空気注入孔（１４）から空気を注入して本体（１０）（２０）を膨張させ、その後、該本体（１０）（２０）が膨張したエアーマットを椅子や床などの平面上に敷く。そして使用者がエアーマットの本体（１０）（２０）上に着座すると、上半身の体重により臀部と太腿が本体（１０）（２０）を凹ませ、突起（１５）（２５）が押し潰された状態となる。
【００１６】
この状態が長時間に続くと、臀部と太腿の皮膚から発汗が起こり、開口（１１）（２１）内の空間が高温かつ高湿の空気で満たされる。しかし本考案の構成によると、この時、その高温かつ高湿の空気を、優れた通気効果を有する前記通気溝（１２）（２２）を通じて、低温かつ低湿度の外部の空気と交換することができるので、該開口（１１）（２１）内の空気を常に一定の温度、湿度に保つことができ、本体の温度を下げて臀部と太腿の蒸れを防止することができる。尚、前記エアーマットを収納する時は、そのままでもよいが、前記空気注入孔（１４）から空気を抜き折畳んでから収納してもよい。
【産業上の利用可能性】
【００１７】
本考案は上記の構成を有することから、通気性を顕著に向上させることができるので、開口内の空気を常に一定の温度、湿度に保つことができ、本体の温度を下げて臀部と太腿の蒸れを防止することができる。故に、より快適な座り心地を提供することができる。
【図面の簡単な説明】
【００１８】
【図１】本考案に係るエアーマットの第１実施例の斜視図である。
【図２】本考案に係るエアーマットの第１実施例の底面斜視図である。
【図３】本考案に係るエアーマットの第１実施例の平面図である。
【図４】本考案に係るエアーマットの第２実施例の斜視図である。
【図５】本考案に係るエアーマットの第２実施例の底面斜視図である。
【図６】本考案に係るエアーマットの第２実施例の平面図である。
【符号の説明】
【００１９】
１０        本体
１１        開口
１２        通気溝
１３        外縁部
１４        空気注入孔
１５        突起
２０        本体
２１        開口
２２        通気溝
２３        外縁部
２５        突起
【図１】
0003140934.tif 000003
【図２】
0003140934.tif 000004
【図３】
0003140934.tif 000005
【図４】
0003140934.tif 000006
【図５】
0003140934.tif 000007
【図６】
0003140934.tif 000008